(57)【要約】【課題】不要な電力消費を抑えることができる通信機器及び通信機器の制御方法を提供すること。【解決手段】操作部１６と、外部通信機器から音声又はデータの着信を受ける受信部６と、着信を受けた場合に報知を行う報知部７と、着信を受けた場合に、周囲の明るさの度合いを検出する検出部８と、検出部８により検出した明るさの度合いが所定の閾値を下回った場合には、報知部７による報知を行わないように制御する制御部９と、を備える。【選択図】図２
2010278686.tif 000002
【特許請求の範囲】
【請求項１】
操作部と、
外部通信機器から音声又はデータの着信を受ける受信部と、
前記着信を受けた場合に報知を行う報知部と、
前記着信を受けた場合に、周囲の明るさの度合いを検出する検出部と、
前記検出部により検出した前記明るさの度合いが所定の閾値を下回った場合には、前記報知部による報知を行わないように制御する制御部と、を備えることを特徴とする通信機器。
【請求項２】
前記検出部は、前記着信を受けてから所定時間経過するまで前記操作部による操作が行われない場合に、周囲の明るさの度合いを検出する請求項１記載の通信機器。
【請求項３】
前記検出部は、周囲の明るさの度合いを一定の検出間隔で検出し、
前記制御部は、前記検出部により検出した前記明るさの度合いが前記検出部による検出を開始してから所定時間経過するまで閾値を下回っている場合に、前記報知部による報知を行わないように制御する請求項１又は２記載の通信機器。
【請求項４】
前記制御部は、前記検出部により検出した前記明るさの度合いが所定の閾値を下回った状態から所定の閾値を上回った状態になった場合に、前記報知部による報知を再開するように制御する請求項１から請求項３のいずれか１項に記載の通信機器。
【請求項５】
前記報知部は、第１の報知部と第２の報知部とを有し、
前記制御部は、前記検出部により検出した前記明るさの度合いが所定の閾値以下の状態から所定の閾値を上回った状態となった場合に、前記第１の報知部及び前記第２の報知部により報知を行うように制御する請求項４記載の通信機器。
【請求項６】
前記第１の報知部は、光による報知を行い、
前記第２の報知部は、音又は振動による報知を行う請求項５記載の通信機器。
【請求項７】
前記制御部は、前記報知部による前記報知の直前又は直後に、前記検出部による前記検出が行われるように同期制御する請求項１から請求項４のいずれか１項に記載の通信機器。
【請求項８】
前記制御部は、前記検出部による検出間隔と前記報知部による報知間隔とを互いに異なる間隔で行うように制御する請求項７記載の通信機器。
【請求項９】
前記制御部は、前記検出部による前記検出の開始をしてから時間の経過とともに順次検出間隔を長くするように制御する請求項１から請求項８のいずれか１項に記載の通信機器。
【請求項１０】
前記制御部は、前記受信部への前記着信の直後、又は前記検出部により検出した前記明るさの度合いが所定の閾値を下回った状態から所定の閾値を上回った状態となって、前記制御部により前記報知部による報知が再開された直後においては、前記検出部による検出の間隔を通常の検出の間隔よりも短くするように制御する請求項１又は２記載の通信機器。
【請求項１１】
前記制御部は、前記検出部により検出した前記明るさの度合いが所定時間以上所定の閾値を下回っている場合、又は所定時間以上前記操作部による操作が行われない場合に、前記検出部による検出の間隔を通常の検出の間隔よりも長くするように制御する請求項１又は２記載の通信機器。
【請求項１２】
前記制御部は、前記受信部により前記着信を受け、当該着信に対して不応答であって、前記検出部により検出した前記明るさ度合いが所定の閾値を下回っている場合には、前記報知部への報知を行わないように制御する請求項１又は２記載の通信機器。
【請求項１３】
前記制御部による前記報知部への制御を実行する時間帯を設定する機能設定部を備え、
前記制御部は、前記機能設定部により設定された時間帯においては、前記報知部による報知を行うように制御する請求項１又は２記載の通信機器。
【請求項１４】
操作を行う操作工程と、
外部通信機器から音声又はデータの着信を受ける受信工程と、
前記着信を受けた場合に報知を行う報知工程と、
前記着信を受けてから所定時間経過するまで前記操作工程により操作が行われない場合に、周囲の明るさの度合いを検出する検出工程と、
前記検出工程により検出した前記明るさの度合いが所定の閾値を下回った場合には、前記報知工程による報知を行わないように制御する制御工程と、を備えることを特徴とする通信機器の制御方法。
【発明の詳細な説明】
【技術分野】
【０００１】
本発明は、ユーザにデータの受信等の報知を行う通信機器及び通信機器の制御方法に関する。
【背景技術】
【０００２】
従来より、通信機器（例えば、携帯電話装置）においては、音声やデータ等の着信が行われる。その着信に対してユーザが応答（操作）しなかった場合には、発光部（例えば、ＬＥＤ）を点灯させる方法によりユーザに着信が行われたことを報知する（特許文献１参照）。このＬＥＤの点灯は、例えば、ユーザによる停止操作により停止される。
【先行技術文献】
【特許文献】
【０００３】
【特許文献１】特開２００２−３１９９９６号公報
【発明の概要】
【発明が解決しようとする課題】
【０００４】
しかし、特許文献１記載に開示される携帯電話装置は、例えば、鞄の中に入れている場合、ズボンのポケットに入れている場合、ユーザが就寝中の場合、又は、ＬＥＤが地面等を向くように置いてある場合等のユーザが報知を確認できない状態においても、ＬＥＤの点灯が行われている。
このように、特許文献１記載に開示される携帯電話装置は、ユーザが報知を確認できない状態においても、ＬＥＤの点灯が行われるために、不要に電力が消費されてしまう。
【０００５】
本発明は、不要な電力消費を抑えることができる通信機器及び通信機器の制御方法の提供を目的とする。
【課題を解決するための手段】
【０００６】
本発明に係る通信機器は、操作部と、外部通信機器から音声又はデータの着信を受ける受信部と、前記着信を受けた場合に報知を行う報知部と、前記着信を受けた場合に、周囲の明るさの度合いを検出する検出部と、前記検出部により検出した前記明るさの度合いが所定の閾値を下回った場合には、前記報知部による報知を行わないように制御する制御部と、を備えることを特徴とする。
【０００７】
また、上記通信機器では、前記検出部は、前記着信を受けてから所定時間経過するまで前記操作部による操作が行われない場合に、周囲の明るさの度合いを検出することが好ましい。
【０００８】
また、上記通信機器では、前記検出部は、周囲の明るさの度合いを一定の検出間隔で検出し、前記制御部は、前記検出部により検出した前記明るさの度合いが前記検出部による検出を開始してから所定時間経過するまで閾値を下回っている場合に、前記報知部による報知を行わないように制御することが好ましい。
【０００９】
また、上記通信機器では、前記制御部は、前記検出部により検出した前記明るさの度合いが所定の閾値を下回った状態から所定の閾値を上回った状態になった場合に、前記報知部による報知を再開するように制御することが好ましい。
【００１０】
また、上記通信機器では、前記報知部は、第１の報知部と第２の報知部とを有し、前記制御部は、前記検出部により検出した前記明るさの度合いが所定の閾値以下の状態から所定の閾値を上回った状態となった場合に、前記第１の報知部及び前記第２の報知部により報知を行うように制御することが好ましい。
【００１１】
また、上記通信機器では、前記第１の報知部は、光による報知を行い、前記第２の報知部は、音又は振動による報知を行うことが好ましい。
【００１２】
また、上記通信機器では、前記制御部は、前記報知部による前記報知の直前又は直後に、前記検出部による前記検出が行われるように同期制御することが好ましい。
【００１３】
また、上記通信機器では、前記制御部は、前記検出部による検出間隔と前記報知部による報知間隔とを互いに異なる間隔で行うように制御することが好ましい。
【００１４】
また、上記通信機器では、前記制御部は、前記検出部による前記検出の開始をしてから時間の経過とともに順次検出間隔を長くするように制御することが好ましい。
【００１５】
また、上記通信機器では、前記制御部は、前記受信部への前記着信の直後、又は前記検出部により検出した前記明るさの度合いが所定の閾値を下回った状態から所定の閾値を上回った状態となって、前記制御部により前記報知部による報知が再開された直後においては、前記検出部による検出の間隔を通常の検出の間隔よりも短くするように制御することが好ましい。
【００１６】
また、上記通信機器では、前記制御部は、前記検出部により検出した前記明るさの度合いが所定時間以上所定の閾値を下回っている場合、又は所定時間以上前記操作部による操作が行われない場合に、前記検出部による検出の間隔を通常の検出の間隔よりも長くするように制御することが好ましい。
【００１７】
また、上記通信機器では、前記制御部は、前記受信部により前記着信を受け、当該着信に対して不応答であって、前記検出部により検出した前記明るさ度合いが所定の閾値を下回っている場合には、前記報知部への報知を行わないように制御することが好ましい。
【００１８】
また、上記通信機器では、前記制御部による前記報知部への制御を実行する時間帯を設定する機能設定部を備え、前記制御部は、前記機能設定部により設定された時間帯においては、前記報知部による報知を行うように制御することが好ましい。
【００１９】
また、本発明に係る通信機器の制御方法では、操作を行う操作工程と、外部通信機器から音声又はデータの着信を受ける受信工程と、前記着信を受けた場合に報知を行う報知工程と、前記着信を受けてから所定時間経過するまで前記操作工程により操作が行われない場合に、周囲の明るさの度合いを検出する検出工程と、前記検出工程により検出した前記明るさの度合いが所定の閾値を下回った場合には、前記報知工程による報知を行わないように制御する制御工程と、を備えることを特徴とする。
【発明の効果】
【００２０】
本発明によれば、不要な電力消費を抑えることができる通信機器及び通信機器の制御方法を提供することができる。
【図面の簡単な説明】
【００２１】
【図１】本発明に係る携帯電話装置の外観を示す図である。
【図２】本発明に係る携帯電話装置の機能を示す機能ブロック図である。
【図３】ＬＥＤによる報知を示す図である。
【図４】通知処理までの制御の手順を示すシーケンス図である。
【図５】通知処理の流れを示すフローチャートである。
【図６】お知らせ通知と照度取得のタイミングとを模式的に示す図である。
【発明を実施するための形態】
【００２２】
以下、本発明の実施の形態について説明する。図１は、本発明に係る携帯電話装置１の外観を示す図である。図１に示すように、携帯電話装置１は、操作部側筐体部２と、表示部側筐体部３と、操作部側筐体部２と表示部側筐体部３とを連結するヒンジ機構４と、を備えて構成される。
【００２３】
操作部側筐体部２は、操作部１６と音声入力部１８とを有して構成される。操作部１６は、各種設定や電話帳機能やメール等のデータ通信機能等の各種機能を作動させるための機能設定操作ボタン１３と、数字や文字が割り当てられ、電話番号入力時やデータ受信時等における文字入力時に用いられる入力操作ボタン１４と、各種操作における決定やスクロール等を行う決定操作ボタン１５と、から構成されている。なお、音声入力部１８は、携帯電話装置１の使用者が通話時に発した音声を入力するために用いられる。
【００２４】
表示部側筐体部３は、各種情報を表示するためのディスプレイ３２と、通話の相手側の音声を出力する音声出力部３１とを有して構成される。
【００２５】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。なお、本実施形態においては、通信機器の一例としてヒンジ機構４を介して操作部側筐体部２と表示部側筐体部３とが相対的に動く、いわゆる折り畳み式の携帯電話装置１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが１つの筐体に配置されたもの（いわゆる、ストレートタイプ）、フリップを備えるフリップタイプのものであっても適用可能である。
【００２６】
このように構成することにより、携帯電話装置１は、不要な電力消費を抑えることができる機能を有している。
【００２７】
ここで、上述した機能を発揮できる構成について、図２を用いて説明する。図２は、本発明に係る携帯電話装置１の機能を示す機能ブロック図である。
【００２８】
携帯電話装置１は、さらに、図２に示すように、操作部１６と、送受信部６（受信部６）と、ＬＥＤ７Ａ（以下、第１の報知部７Ａという。）と、照度センサ８（検出部８）と、制御部９と、測定値通知部１０と、サブディスプレイ１１と、後述するメモリ１２と、後述するバイブレータ７Ｂ（以下、第２の報知部７Ｂという。）とを備える。なお、以下では、第１の報知部７Ａと第２の報知部７Ｂの包括した概念を「報知部７」とする。
【００２９】
操作部１６は、操作されることにより、ＬＥＤ７Ａによる報知を終了させることが可能である。送受信部６は、外部通信機器に対して音声又はデータの送受信を行う。
【００３０】
ＬＥＤ７Ａは、電圧を加えることにより発光する半導体素子により構成される。本実施形態において、ＬＥＤ７Ａは、音声又はデータの着信を受けた場合に報知を行う。なお、ＬＥＤ７Ａによる報知について、図３を参照して説明する。図３は、ＬＥＤ７Ａによる報知を示す図である。ＬＥＤ７Ａによる報知は、図３に示すように、点灯と消灯を一定の間隔で繰り返すことにより行われる。本実施形態においては、点灯は、５秒間隔で行われる。
【００３１】
照度センサ８は、着信を受けてから所定時間経過するまで操作部１６による操作が行われない場合に、周囲の明るさの度合いを検出する。また、照度センサ８は、図３に示すように、ＬＥＤ７Ａと同一平面上に配置される。また、照度センサ８は、ＬＥＤ７Ａの近傍に配置される。このように配置することにより、照度センサ８は、ユーザがＬＥＤ７Ａを確認できない状態か否かをより正確に検出することができる。
【００３２】
制御部９は、検出部８により検出した明るさの度合いが所定の閾値を下回った場合には、報知部７による報知を行わないように制御する。また、制御部９は、図２に示すように、第１の制御部９０と、第２の制御部９１（以下、ＬＥＤ制御部９１という。）と、第３の制御部９２（以下、バイブレータ制御部９２という。）と、後述する機能設定部９３とを有する。
【００３３】
第１の制御部９０は、図２に示すように、ＬＥＤ制御部９１と協調して動作することにより、ＬＥＤ７Ａを制御する。また、第１の制御部９０は、バイブレータ制御部９２と協調して動作することにより、バイブレータ７Ｂを制御する。また、第１の制御部９０は、測定値通知部１０と、送受信部６と、機能設定部９３とを制御する。
【００３４】
お知らせ通知と照度取得のタイミングについて、図６を参照しながら説明する。図６は、お知らせ通知と照度取得のタイミングを模式的に示す図である。お知らせ通知と照度取得のタイミングは、各々異なるが、制御部９の消費電力を抑えるために、お知らせ通知と照度取得のどちらかが動作するタイミングに同期、すなわち、同時期に行われる。本実施形態においては、お知らせ通知タイミングは、５秒間隔で行われ、照度取得タイミングは、お知らせ通知のタイミングに同期させており、１回目は、１０秒間隔であり、２回目は、１５秒間隔であり、３回目は、２０秒間隔と、回数ごとに設定した間隔まで増加していくように設定される。
【００３５】
また、制御部９は、ＬＥＤ７Ａの光を照度センサが測定しまうような影響を考慮して、照度取得タイミングは、厳密には、ＬＥＤ７Ａの点灯の直前に行われても良い。なお、照度取得タイミングは、ＬＥＤ７Ａの点灯の直前に限られず、ＬＥＤ７Ａの点灯の影響がない範囲で、直後でも良い。
【００３６】
測定値通知部１０は、照度センサ８が取得した照度測定結果（携帯電話装置１の周囲の明るさ度合いの測定値）を制御部９に通知する。なお、照度測定結果には、測定値の他に、測定時間が含まれる。
【００３７】
サブディスプレイ１１は、図３に示すように、照度センサ８と同様に、ＬＥＤ７Ａと同一平面上で、かつ近傍に配置される。また、サブディスプレイ１１は、通話やデータの着信等の情報を折り畳み状態で表示可能に構成される。
【００３８】
このように構成されることにより、携帯電話装置１は、ユーザが報知を確認しない蓋然性が高い環境条件下を判断することができる。そして、携帯電話装置１は、この判断に基づいて、報知部７による報知（ＬＥＤ７Ａの点灯）を行わないようにすることにより、不要な電力消費を抑えることができる。
【００３９】
なお、報知部７は、本実施形態においてＬＥＤ７Ａを用いたが、これに限られない。報知部７は、ユーザの五感に認識可能であれば良く、例えば、バイブレータ７Ｂによる振動や、警告音等の音でも良い。
【００４０】
また、制御部９は、検出部８により検知される明るさが所定の閾値を下回っているである場合に、報知部７の報知を停止していたが、これに限られない。ＬＥＤ制御部９１は、例えば、ＬＥＤ７Ａの識別が困難な状態となった場合（例えば、太陽光等により非常に明るい状況下で使用した場合）等、明るさが所定の閾値を上回っていたときに報知部７の報知を停止させても良い。報知部７の報知を停止する判断となる閾値は、ユーザの使用状態、使用環境、又は報知の態様等を考慮して決定することができる。
【００４１】
また、携帯電話装置１は、さらに、メモリ１２を備える。メモリ１２は、測定値通知部１０からの明るさ度合いの測定値を、取得した時間ごとに管理可能に格納する。制御部９は、明るさ度合いの履歴を使って、明るさの度合いの変化の判断を行うことができる。
【００４２】
また、検出部８は、周囲の明るさの度合いを一定の間隔で検出する。制御部９は、検出部８により検出した明るさの度合いが検出を開始してから所定時間経過するまで閾値を下回っている場合には、報知部７による報知を行わないように制御する。
【００４３】
このように構成されることにより、携帯電話装置１は、例えば、バッグ等の中に閉まった後に、すぐに取り出したような状況（ユーザが報知を確認する蓋然性が高い状況）において、ＬＥＤ７Ａにより報知を停止することがない。このため、携帯電話装置１は、ユーザに確実に報知を行うことができる。
【００４４】
また、制御部９は、検出部８により検出した明るさの度合いが所定の閾値を下回った状態から所定の閾値を上回った状態になった場合に、報知部７による報知を再開するように制御する。
【００４５】
このように構成されることにより、携帯電話装置１は、例えば、暗所から取り出した場合等、ユーザが報知を必要とする状況下に携帯電話装置１が置かれた際に、報知が再開されるために、不要な電力消費を抑えることができる。
【００４６】
また、報知部７は、さらに、バイブレータ７Ｂを備える。バイブレータ７Ｂは、駆動させることにより振動するモータにより構成され、バイブレータ制御部９２に制御する。
制御部９は、検出部８により検出した明るさの度合いが所定の閾値を下回った状態から所定の閾値を上回った状態となった場合に、第１の報知部７Ａ及び第２の報知部７Ｂにより報知を行うように制御する。
【００４７】
このように構成されることにより、携帯電話装置１は、報知が再開された場合には、ＬＥＤ７Ａに加えて、バイブレータ７Ｂでも報知を行うために、報知が強調されて、ユーザに積極的に報知があることを気付かせることができる。また、第２の報知部７Ｂは、音であっても良いし、振動と音の組み合わせであっても良い。したがって、携帯電話装置１は、不要な電力消費を抑えることができる。
【００４８】
この際、制御部９は、報知部７による報知の直前又は直後に、検出部８による検出が行われるように同期制御する。
【００４９】
このように構成されることにより、携帯電話装置１は、報知部７の動作と検出部８の動作が同期する。つまり、制御部９を報知部７及び検出部８それぞれの動作のごとに起動させる必要がないために、制御部９を効果的に利用することができ、不要な電力の消費を抑えることができる。
【００５０】
この際、制御部９は、検出部８による検出間隔と報知部７による報知間隔とを互いに異なる間隔で行うように制御する。
【００５１】
このように構成されることにより、携帯電話装置１は、例えば、検出間隔を長くする等により、間隔が異なっていても同期しているために、制御部９を効果的に利用することができ、不要な電力の消費を抑えることができる。
【００５２】
また、制御部９は、検出部８による検出の開始をしてから時間の経過とともに順次検出間隔を長くするように制御する。
【００５３】
このように構成されることにより、携帯電話装置１は、例えば、検出を開始してから時間が経過するほど、携帯電話装置１を手元に置いていない等のユーザの報知の確認の可能性が低くなる。また、データ等においては、着信から時間が経つことにより、即時性が低下してくる。これらの状況は、環境の変化（例えば、明所から暗所への移動等）も少なく、ユーザが確認しない条件下である蓋然性が高いために、検出部８による検出を少なくすることにより、不要な電力消費を抑えることができる。
【００５４】
また、制御部９は、送受信部６への着信の直後、又は検出部８により検出し明るさの度合いが所定の閾値を下回った状態から所定の閾値を上回った状態となって、報知部７による報知が再開された直後においては、検出部８による検出の間隔を通常の間隔よりも短くするように制御する。
【００５５】
このように構成されることにより、携帯電話装置１は、着信の直後や、報知再開の直後、すなわち、ユーザが報知を確認する蓋然性が高い状況下においては、頻繁に検出を行う。その結果、報知を停止する判断を早めることができるために、不要な電力消費を抑えることができる。
【００５６】
また、制御部９は、検出部８により検出した周囲の明るさの度合いが所定時間以上所定の閾値を下回っている場合、又は所定時間以上操作部１６による操作が行われない場合に、検出部８による検出の間隔を通常の検出の間隔よりも長くするように制御する。
【００５７】
このように構成されることにより、携帯電話装置１は、ユーザが報知を確認する蓋然性が低いため、検出間隔を長くすることで、検出部８の検出による電力消費を少なくすることができる。
【００５８】
また、制御部９は、送受信部６により着信を受け、当該着信に対して不応答の場合に検出部８が周囲の明るさの度合いを検出し、検出部８により検出した明るさ度合いが所定の閾値を下回っている場合には、報知部７への報知を行わないように制御する。
【００５９】
このように構成されることにより、携帯電話装置１は、未読メール等の未確認データや、不在着信のみに対して、報知停止の判断を行う。このため、携帯電話装置１は、通話やデータの着信時に報知停止を行うことがないために、利便性を低下させることがない。
【００６０】
また、報知部７は、不在着信における報知を行ったが、これに限られない。着信時やデータ受信時を除くユーザが認識してないと想定するような通信（未確認データや不在着信）である不在応答通知として報知していたが、これに限られない。制御部９が報知部７へ報知要求を行えるようなものであれば良く、例えば、タイマーやスケジュール等であっても良い。
【００６１】
また、携帯電話装置１は、さらに、図２に示すように、機能設定部９３を備える。機能設定部９３は、制御部９による報知部７への制御を実行する時間帯を設定する。また、機能設定部９３は、時間帯に応じてユーザにより選択が可能に構成される。制御部９は、機能設定部９３により設定された時間帯に報知部７による報知を行うように制御する。なお、本実施形態において、機能設定部９３は、夜間（日没から日の出までの間、例えば、１８時から６時等）の場合にのみ、報知部７による報知を行うように設定することができる。
【００６２】
このように構成されることにより、携帯電話装置１は、ユーザの任意に設定することにより、ライフスタイルに合わせて、本機能を選択することができるために、利便性を損なうことなく、消費電力を効率的に抑えることができる。
【００６３】
以上のように構成される携帯電話装置１は、検出部８（照度センサ８）から取得された明るさ度合いに基づいて、不要な報知部７（ＬＥＤ７Ａ）の報知（点灯）を制御することで、消費電力を抑えることができる機能を有している。
【００６４】
本実施形態の携帯電話装置１は通知処理までの流れについて、図４を用いて説明する。図４は、通知処理までの制御の手順を示すシーケンス図である。
【００６５】
まず、データ等を受信した送受信部６は、制御部９（第１の制御部９０）に「受信通知」を行う。次に、第１の制御部９０は、「受信通知」に基づいて、制御部９（ＬＥＤ制御部９１及びバイブレータ制御部９２）に「お知らせ点滅要求」を行う。制御部９（ＬＥＤ制御部９１及びバイブレータ制御部９２）は、「お知らせ点滅要求」に基づいて、測定値通知部１０に「照度測定要求」を行う。測定値通知部１０は、「照度測定要求」に基づいて、照度センサ８により照度測定結果を取得し、制御部９（ＬＥＤ制御部９１及びバイブレータ制御部９２）に「照度測定結果通知」を行う。そして、制御部９は、「照度測定結果通知」に基づいて、通知処理を行う。
【００６６】
本実施形態の携帯電話装置１における報知処理については、図５に示すフローチャートを用いて、以下に説明する。図５は、通知処理の流れを示すフローチャートである。なお、以下に説明するフローチャートにおいては、「お知らせ通知」とは、ＬＥＤ７Ａの点灯のことをいう。
【００６７】
ステップＳ１において、制御部９は、時間帯制御がＯＦＦかどうかを判断する。時間帯制御がＯＦＦではない場合（ＮＯ）には、ステップＳ２へ進み、時間帯制御がＯＦＦである場合（ＹＥＳ）には、ステップＳ３に進む。なお、制御部９は、時間帯制御がＯＦＦではない場合、すなわち時間帯制御がＯＮになっている場合において、予めユーザが機能設定部９３により設定した時間帯と現在の時刻と比較し、現在の時刻が設定されている時間帯（夜間）になっている場合には、ステップＳ２の工程を実行し、現在の時刻が設定されている時間帯（夜間）になっていない場合（例えば、昼間）には、ステップＳ３の工程を実行する構成であっても良い。このように構成される場合には、携帯電話装置１は、夜間においても、報知部７による報知が停止されずに、通常通りのお知らせ通知処理が実行されるため、利便性を低下させることがない。また、本実施例では、機能設定部９３は、予めユーザの操作にしたがって夜間（日没から日の出までの間、例えば、１８時から６時等）を制御部９による報知部７への制御を実行する時間帯として設定しているが、これに限られず、ユーザのライフスタイル等に合わせて、任意の時間帯に設定することができる。
【００６８】
ステップＳ２において、制御部９は、一定の間隔でＬＥＤ７Ａの点灯処理、すなわち、「お知らせ通知処理」を行う。本実施形態において、「お知らせ通知処理」は、５秒間隔でＬＥＤ７Ａの点灯を行う。この際、制御部９は、ユーザによる通知の停止操作が行われるまで、「お知らせ通知処理」を実行し続ける。
【００６９】
ステップＳ３において、制御部９は、照度（照度測定結果）を取得して、ステップＳ３に移行する。照度の取得は、上述したように、制御部９の測定値通知部１０への「照度測定要求」により行われる。この「照度測定要求」により測定値通知部１０は、照度センサ８に携帯電話装置１の周囲の明るさ度合いを測定させる。そして、測定値通知部１０は、照度センサ８が測定した測定値及び測定時間に基づいた照度測定結果を制御部９に通知する（「照度測定結果通知」）。この際、照度測定結果は、照度測定結果の履歴として、メモリ１２に格納される。
【００７０】
ステップＳ４において、制御部９は、測定値通知部１０から取得した照度測定結果のうちの照度値により、携帯電話装置１の周囲が明るいか否かの判定を行う。周囲が明るいか否かの判定は、照度値が所定の閾値を上回っているか否かにより行う。この閾値は、例えば、外の環境を考慮して、バック等に入れた時等の状況下において、予め取得した照度値等に基づいて、決定することができる。
【００７１】
制御部９は、照度値が閾値を上回っている、すなわち、周囲が明るい場合（ＹＥＳ）には、後述するステップＳ５に移行する。また、制御部９は、照度値が閾値を下回っている、すなわち、周囲が暗い場合（ＮＯ）には、ステップＳ６に移行する。
【００７２】
ステップＳ６において、制御部９は、通知停止フラグの確認を行う。通知停止フラグがＯＦＦの場合には、ステップＳ７に移行し、通知停止フラグがＯＮの場合（ＮＯ）には、「お知らせ通知」を停止して終了する。つまり、ＬＥＤ７Ａの点滅が停止される。
【００７３】
ステップＳ７において、暗くなった直後か否かの判定を行う。「暗くなった直後」とは、メモリ１２に格納された照度測定結果の履歴を参照して決定される。例えば、今回の照度測定結果が、閾値を上回っており、前回の照度測定結果が、閾値を下回っている場合等の判断に基づいて決定される。
【００７４】
暗くなった直後である場合（ＹＥＳ）には、ステップＳ８に移行し、暗くなった直後でない場合（ＮＯ）には、ステップＳ９に移行する。
【００７５】
ステップＳ８において、制御部９は、通知停止タイマーを開始し、ステップＳ９に移行する。ステップＳ９において、制御部９は、通知停止タイマーが満了したか否かを確認する。本実施形態において、通知停止タイマーは、２０秒である。
【００７６】
通知停止タイマーが満了している場合（ＹＥＳ）には、ステップＳ１０に移行し、通知停止タイマーが満了していない場合（ＮＯ）には、ステップＳ１１に移行する。
【００７７】
ステップＳ１０において、制御部９は、通知停止フラグをＯＮし、「お知らせ通知」を停止して終了する。
【００７８】
通知停止フラグをＯＮの状態は、制御部９により、ＬＥＤ７Ａの点灯が停止されている状態となる。このようにＬＥＤ７Ａの点灯が停止される状況は、通知停止タイマーが満了した状態（暗い状態が一定時間続いた状態）であり、一時的に暗くなった状態（例えば、バッグに入れてすぐに取り出した等）ではないため、ユーザが「お知らせ通知」を必要としない状態である。この状態において、携帯電話装置１は、「お知らせ通知」を行わないように制御されるために、不要な電力消費を抑えることができる。この際、一時的に暗くなった状態では、「お知らせ通知」を停止させないために、ユーザの利便性を低下させることがない。
【００７９】
なお、通知停止フラグがＯＮの場合、「お知らせ通知」を停止することもできるが、点灯タイミングを変更したり、照度取得タイミングを変更したり、種々の条件に合わせたＬＥＤ７Ａの制御が行われる。
【００８０】
ステップＳ１１において、制御部９は、「お知らせ通知」を行う。「お知らせ通知」は、通常５秒間隔で、ＬＥＤ７Ａを点灯させることにより行われる。
【００８１】
また、ステップＳ５において、制御部９は、明るくなった直後か否かの判定を行う。「明るくなった直後」とは、メモリ１２に格納された照度測定結果の履歴を参照して決定される。例えば、今回の照度測定結果が、閾値を下回っており、前回の照度測定結果が、閾値を上回っている場合等の判断に基づいて決定される。
明るくなった直後である場合（ＹＥＳ）には、ステップＳ１２に移行し、明るくなった直後でない場合（ＮＯ）には、ステップＳ２に移行する。
【００８２】
ステップＳ１２において、制御部９は、通知停止タイマーを終了し、ステップＳ１３に移行する。ステップＳ１３において、制御部９は、通知停止フラグをＯＦＦし、ステップＳ１４に移行する。
【００８３】
ステップＳ１４において、制御部９は、「お知らせ通知再開」を行い、終了する。「お知らせ通知再開」は、お知らせ通知を再開する処理である。この際、制御部９は、ＬＥＤ７Ａの点灯の他に、バイブレータ７Ｂを駆動して、ユーザにお知らせ通知があることを気付かせる。
【００８４】
なお、「お知らせ通知」又は「お知らせ通知再開」の終了は、ユーザによる通知の停止操作、又は次回の照度取得タイミングの到来（所定時間の経過後）により終了する。次回の照度取得タイミングの到来（所定時間の経過後）により通知処理が終了したときは、再度、通知処理を開始するために、ステップＳ２に移行する。
【００８５】
照度取得タイミングについて図６に示すように、通知処理が停止されない状況において、照度取得の回数が増加するにしたがって、間隔が大きくなる。本実施形態においては、初回は、１０秒間隔であり、２回目は、１５秒間隔であり、３回目は、２０秒間隔である。
また、照度取得と同時にＬＥＤ７Ａの点灯も行われる。本実施形態においては、ＬＥＤ７Ａの点滅は、５秒間隔で行われ、照度取得とほぼ一致する間隔で行われる。
このように照度取得のタイミングと、ＬＥＤ７Ａの点灯のタイミングを同期しておくことにより、制御部９をそれぞれのタイミングで起動させることがないために、不要な電力の消費を抑えることができる。
【００８６】
なお、以上説明した通知処理は、ユーザが所定の操作を行うことにより、報知が終了したとみなし、どのステップ下にあっても、終了する。
【００８７】
このようにして、携帯電話装置１は、不要な電力消費を抑えることができる。
【００８８】
以上、本発明は、通信機器として携帯電話装置１を一例として説明したが、ＰＨＳ（登録商標：Ｐａｓｏｎａｌ  Ｈａｎｄｙｐｈｏｎｅ  Ｓｙｓｔｅｍ）や、無線機能を有するポータブルゲーム機や、ポータブルナビゲーション機や、ＰＤＡ（Ｐｅｒｓｏｎａｌ  Ｄａｔａ  Ａｓｓｉｓｔａｎｃｅ）や、ノートパソコンや、操作部を備えるＥＬディスプレイ・液晶ディスプレイや、モバイル機器や携帯用防犯ブザー機等にも適当可能である。
【符号の説明】
【００８９】
１      携帯電話装置（通信機器）
６      受信部（送受信部）
７      報知部
７Ａ    ＬＥＤ（第１の報知部）
７Ｂ    バイブレータ（第２の報知部）
８      照度センサ（検出部）
９      制御部
１６    操作部
９３    機能設定部
【図１】
2010278686.tif 000003
【図２】
2010278686.tif 000004
【図３】
2010278686.tif 000005
【図４】
2010278686.tif 000006
【図５】
2010278686.tif 000007
【図６】
2010278686.tif 000008